(57)【要約】【課題】  テレビ自体の調整を表示画面の影響を与えることなく可能とするテレビジョン受像機のリモートコントロール装置及びその制御方法を提供すること。【解決手段】  テレビＡのリモコンＢ１，Ｂ２，Ｂ３において、テレビの所定機能の設定値を選択する設定メニューキー３７ｂと、設定値を設定するための設定値入力画面を表示する副画面３５と、設定値を入力するテンキー３７ａやカーソルキー３７ｄと、テンキー３７ａやカーソルキー３７ｄより入力された入力設定値を格納するメモリ４１と、メモリ４１に格納された入力設定値をテレビＡに送信する送信部４３と、を設ける。また、テレビＡのリモコンＢ１，Ｂ２，Ｂ３による制御方法において、そのリモコンを用いてテレビＡの所定機能の設定値を選択する選択工程と、該設定値を設定するための設定値入力画面を表示する設定値入力画面表示工程と、を有し、設定値入力画面をテレビＡの表示部１５以外に表示する。【選択図】  図１
2006186868.tif 000002
【特許請求の範囲】
【請求項１】
テレビジョン受像機のリモートコントロール装置において、
前記テレビジョン受像機の所定機能の設定値を選択する機能選択部と、
前記設定値を設定するための設定値入力画面を表示する表示部と、
前記設定値を入力する入力部と、
前記入力部より入力された入力設定値を格納する記憶媒体と、
前記記憶媒体に格納された入力設定値を前記テレビジョン受像機に送信する送信部と、
を有することを特徴とするテレビジョン受像機のリモートコントロール装置。
【請求項２】
前記送信部は、前記テレビジョン受像機に対して格納する現設定値の送信要求信号を送し、
前記表示部は、前記設定値入力画面に前記現設定値を表示し、
前記入力部により前記現設定値を変更することを特徴とする請求項１に記載のテレビジョン受像機のリモートコントロール装置。
【請求項３】
前記表示部は、前記設定値入力画面の背景に、予め設定された画像を表示することを特徴とする請求項１又は２に記載のテレビジョン受像機のリモートコントロール装置。
【請求項４】
前記表示部は、前記設定値入力画面の背景に、前記テレビジョン受像機で受信している映像を表示することを特徴とする請求項１乃至３のいづれか１項に記載のテレビジョン受像機のリモートコントロール装置。
【請求項５】
前記表示部は、投影光学装置であり、設定値入力画面を投影表示することを特徴とする請求項１乃至４のいづれか１項に記載のテレビジョン受像機のリモートコントロール装置。
【請求項６】
テレビジョン受像機のリモートコントロール装置による制御方法において、
前記リモートコントロール装置を用いて前記テレビジョン受像機の所定機能の設定値を選択する選択工程と、
前記設定値を設定するための設定値入力画面を表示する設定値入力画面表示工程と、を有し、
前記設定値入力画面をテレビ受像機の表示画面以外に表示することを特徴とするテレビジョン受像機のリモートコントロール装置による制御方法。
【請求項７】
前記設定値入力画面は、前記リモートコントロール装置の表示部に表示することを特徴とする請求項６に記載のテレビジョン受像機のリモートコントロール装置による制御方法。
【請求項８】
前記設定値入力画面は、前記リモートコントロール装置の投影光学装置により投影されることを特徴とする請求項６に記載のテレビジョン受像機のリモートコントロール装置による制御方法。
【発明の詳細な説明】
【技術分野】
【０００１】
本発明は、テレビジョン受像機の各種機能を調整するためのテレビジョン受像機のリモートコントロール装置及びその制御方法に関する。
【背景技術】
【０００２】
近年のテレビジョン受像機（以下、「テレビ」と略記する）は、その多機能化に伴い複数チャネルの表示等が可能となったり、デジタル化に伴い文字放送なども利用可能となり、ユーザーにとっては趣味、趣向にあったものを任意の方法で楽しめると共に、１台のテレビを複数人で異なる番組、異なる表示形態で楽しめるようになっている。
【０００３】
ところが、複数人が１台のテレビを視聴する場合には、弊害もある。例えば、同一番組を視聴している場合に、誰かが文字放送や他の番組を表示した場合には、それまでの映像表示領域が小さくなり、視聴を邪魔するような場合が生じていた。
【０００４】
係る問題を解決するために、テレビのリモコンに表示画面を実装し、テレビの表示画面には主放送を表示しリモコンの表示画面に副放送を表示することでテレビの主放送の表示形態に影響を与えずに副放送を楽しむことを可能とする技術が知られている（例えば、特許文献１参照）。
【特許文献１】特開２００３−３３３３６２号公報
【発明の開示】
【発明が解決しようとする課題】
【０００５】
上記従来技術によれば、主放送に影響なく副放送を楽しむことができる。しかしながら、テレビ自体の調整等、例えば、画質調整、音声調整、ＯＮ／ＯＦＦタイマー設定、録画タイマー設定等を行う場合には依然として主放送画面上で、係る設定項目を表示しながら設定しており依然として主放送の視聴等を妨げる問題があった。
【０００６】
本発明は、上記従来の問題点に鑑みてなされたものであり、テレビ自体の調整を表示画面の影響を与えることなく可能とするテレビジョン受像機のリモートコントロール装置及びその制御方法を提供することを目的とする。
【課題を解決するための手段】
【０００７】
本発明は、上記の目的を達成するため、次の構成を有する。
本発明の第１の要旨は、テレビジョン受像機のリモートコントロール装置において、前記テレビジョン受像機の所定機能の設定値を選択する機能選択部と、前記設定値を設定するための設定値入力画面を表示する表示部と、前記設定値を入力する入力部と、前記入力部より入力された入力設定値を格納する記憶媒体と、前記記憶媒体に格納された入力設定値を前記テレビジョン受像機に送信する送信部と、を有することを特徴とする。
【０００８】
本発明の第２の要旨は、前記送信部は、前記テレビジョン受像機に対して格納する現設定値の送信要求信号を送し、前記表示部は、前記設定値入力画面に前記現設定値を表示し、前記入力部により前記現設定値を変更することを特徴とする要旨１に記載のテレビジョン受像機のリモートコントロール装置にある。
【０００９】
本発明の第３の要旨は、前記表示部は、前記設定値入力画面の背景に、予め設定された画像を表示することを特徴とする要旨１又は２に記載のテレビジョン受像機のリモートコントロール装置にある。
【００１０】
本発明の第４の要旨は、前記表示部は、前記設定値入力画面の背景に、前記テレビジョン受像機で受信している映像を表示することを特徴とする要旨１乃至３のいづれかに記載のテレビジョン受像機のリモートコントロール装置にある。
【００１１】
本発明の第５の要旨は、前記表示部は、投影光学装置であり、設定値入力画面を投影表示することを特徴とする要旨１乃至４のいづれかに記載のテレビジョン受像機のリモートコントロール装置にある。
【００１２】
本発明の第６の要旨は、テレビジョン受像機のリモートコントロール装置による制御方法において、前記リモートコントロール装置を用いて前記テレビジョン受像機の所定機能の設定値を選択する選択工程と、前記設定値を設定するための設定値入力画面を表示する設定値入力画面表示工程と、を有し、前記設定値入力画面をテレビ受像機の表示画面以外に表示することを特徴とするテレビジョン受像機のリモートコントロール装置による制御方法にある。
【００１３】
本発明の第７の要旨は、前記設定値入力画面は、前記リモートコントロール装置の表示部に表示することを特徴とする要旨６に記載のテレビジョン受像機のリモートコントロール装置による制御方法にある。
【００１４】
本発明の第８の要旨は、前記設定値入力画面は、前記リモートコントロール装置の投影光学装置により投影されることを特徴とする要旨６に記載のテレビジョン受像機のリモートコントロール装置による制御方法にある。
【発明の効果】
【００１５】
本発明の第１、６の要旨によれば、テレビジョン受像機の所定機能の設定値を表示するための設定値入力画面がリモートコントロール装置の表示部により表示した上で設定値の入力ができるため、テレビジョン受像機の表示画面に影響を与えることなくテレビジョン受像機の所定機能の設定が可能となった。
【００１６】
本発明の第２の要旨によれば、さらに、テレビジョン受像機に格納された現設定値をリモートコントロール装置の表示部により表示した上で設定値の変更ができるため、テレビジョン受像機の表示画面に影響を与えることなくテレビジョン受像機の所定機能の設定変更が可能となった。
【００１７】
本発明の第３の要旨によれば、さらに、設定値入力画面の背景に予め設定された画像を表示することで、比較基準が統一でき、より正確な画質調整ができる。
【００１８】
本発明の第４の要旨によれば、さらに、設定値入力画面の背景にテレビジョン受像機で受信している映像を表示することで、映像を楽しみながら設定入力、設定変更ができる。
【００１９】
本発明の第５の要旨によれば、さらに、投影光学装置により設定値入力画面を投影表示することで、大きな表示画面にて設定入力、変更ができる。
【００２０】
本発明の第６の要旨によれば、設定値入力画面をテレビ受像機の表示画面以外に表示することで、テレビ受像機の表示画面に影響を与えることなくリモートコントロール装置側にてテレビジョン受像機の機能設定ができる。
【００２１】
本発明の第７の要旨によれば、さらに、設定値入力画面をリモートコントロール装置の表示部に表示することで、手元で簡単に設定できる。
【００２２】
本発明の第８の要旨によれば、さらに、設定値入力画面がリモートコントロール装置の投影光学装置により投影されることで、大きな画面にて設定入力が可能とできる。
【発明を実施するための最良の形態】
【００２３】
［第１の実施の形態］
本発明の第１の実施の形態に係るテレビとそのリモートコントロール装置（以下、「リモコン」と略記する）を図面を参照しつつ説明する。図１は、本発明の第１の実施の形態に係るテレビＡとリモコンＢ１の概略ブロック図である。
【００２４】
＜テレビＡ＞
図１に示すように、テレビＡは、映像信号を受信するためのアンテナ１と、受信信号から希望チャネルを選択、中間周波数信号に変換するチューナー３と、外部入力端子５ａを介して映像・音声信号を入力する外部入力部５と、チューナー３と外部入力部５の何れかを選択するＡＶセレクタ７と、入力信号を映像、ＥＰＧ（Electronic Program Guide：電子番組ガイド）、音声に分離する分離部９と、分離部９で分離された信号（映像、ＥＰＧ、音声）を復号するデコーダ１１と、復号された映像信号やＥＰＧ信号を表示するための所定の処理を行う映像処理部１３と、該映像処理部１３からのデータを表示する液晶パネル等の表示部（以下、「主画面」と記す）１５と、復号された音声信号を再生するための所定の処理を行う音声処理部１７と、スピーカ１９と、テレビＡ全体を制御する制御部（マイコン）２１と、映像処理部１３や音声処理部１７の可変可能な設定値を記憶するメモリ２３と、リモコンＢと各種信号の送受信行う送信部２５、受信部２７と、を有する。
【００２５】
前記メモリ２３に格納する設定値は、テレビＡの機能のうちユーザーの趣味、趣向、生活スケジュール等の利便性を考慮しユーザー自身に初期設定、設定変更（調整）が任されたり、可能とされているものであればよく、例えば、主画面１５の映像調整（明度、濃度等）、予約録画機能の設定（予約番組、予約時間、録音録画記録媒体（領域）等）、タイマー機能の設定（タイマーＯＮ/ＯＦＦ、時間、継続時間等）などがある。
【００２６】
上記構成より、制御部２１は、メモリ２３に記録された設定値に基づき映像処理部１３や音声処理部１７を制御し、その処理後の映像信号やＥＰＧを主画面に表示し、処理後の音声信号をスピーカ１９より出力する。
【００２７】
また、制御部２１は、復号された映像信号、ＥＰＧ信号、及び、メモリ２３に格納された設定値を送信部２５を介してリモコンＢに送信可能であり、逆に、リモコンＢより送信された各種設定値は受信部２７を介してメモリ２３に書き込むと共に設定値の変更処理が実行される。
【００２８】
＜リモコンＢ１＞
リモコンＢ１は、テレビＡから送信された各種信号を受信する受信部３１と、リモコン全体の制御を行う制御部３３と、データを表示する液晶パネル等の表示部（以下、「副画面」と記す）３５と、ユーザーによるデータや制御命令を入力可能とする入力部（テンキー３７ａ、設定メニューキー３７ｂ、決定キー３７ｃ、カーソルキー３７ｄ等）３７と、リモコンＢ１の駆動用の電源である電源部（電池、バッテリー等）３９と、受信した本体側のメモリ２３に格納された各種設定値を格納するためのメモリ４１と、各種設定値をテレビＡに送信する送信部４３を有している。
【００２９】
設定メニューキー３７ｂは、特定機能の選択と、設定値に関する入力情報、例えば、設定値入力指示、設定値変更指示、設定内容の確認指示等の選択と、を可能とする機能選択用入力ボタンである。
【００３０】
テンキー３７ａやカーソルキー３７ｄは、設定値を入力するための設定値入力キーである。
【００３１】
決定キー３７ｃは、設定メニューキー３７ｂの入力による機能等の選択決定、テンキー３７ａやカーソルキー３７ｄによる設定値の入力決定、及び、テレビ１への送信の決定等に用いることができる。尚、決定キー３７ｃは１の入力キーを複数の決定用に共用してもよく、決定内容毎に別々に設けてもよい。
【００３２】
制御部３３は、受信した本体側メモリ２３に格納されている特定機能に関する設定項目と設定値をメモリ４１に格納すると共に副画面３５に表示できる。例えば、設置項目が明度と濃度で、その設定値を量（レベル）で表示する場合の副画面３５に表示される調整画面（設定値入力画面）の一例を図３に示す。尚、設定値の副画面３５への表示形態や変更、調整表示形態などはこれに限定するものではなく、公知の手段を用いることができる。
【００３３】
また、制御部３３は、設定メニューキー３７ｂにより選択された特定機能の調整画面を副画面３５に表示し、テンキー３７ａやカーソルキー３７ｄからの入力により副画面３５上に表示された設定値を変更し、且つ、メモリ４１の設定値も変更する。図３の場合には、カーソルキー３７ｄの操作により明度と濃度の設定量（設定値）を調整する。また、制御部３３は、決定キー３７ｃの押下げにより調整値を決定し、且つ、メモリ４１に格納された変更された設定値を送信部４３を介してテレビＡに返送する。
【００３４】
次に、図２を参照しつつ、テレビＡの設定値をリモコンＢ１側にて変更する工程を説明する。
【００３５】
先ず始めに、制御部２１は、図示しない主電源スイッチのＯＮに基づき、主画面１５に選択されたチャネルの放送映像信号を表示する（Ｓ１）。
【００３６】
次に、制御部２１は、リモコンＢ１の設定メニューキー３７ｂの押下げにより特定機能の設定値に関する入力情報（入力指示、変更指示、設定内容の確認指示等）があるか否か判断する（Ｓ２）。
【００３７】
そして、特定機能の設定値に関する設定メニューキー３７ｂの押下げがあったことを受信した場合、制御部２１は、該当する設定値をテレビＡ側のメモリ２３から読み出し、リモコンＢ１のメモリ４１に書き込む（格納する）（Ｓ３）。
【００３８】
次に、リモコンＢ１側の制御部３３は、メモリ４１から設定値を読み出し、副画面３５に表示する（Ｓ４）。
【００３９】
そして、リモコンＢ１の入力部３７に設定値の入力、変更等があるか否かをモニターする（Ｓ５）。変更入力があった場合には、リモコンＢ１のメモリ４１に変更内容を書き込むと共に副画面３５の設定値表示を変更する（Ｓ６）。最後に決定キーが押された場合（Ｓ７）、制御部３３は、メモリ４１の変更内容をテレビＡ側のメモリ２３に格納し、書き換え後の設定値により特定機能の処理を実行する。そして、リモコンＢ１の副画面の表示を変更する（Ｓ８）。
【００４０】
以上のように、リモコンＢ１より特定機能の設定値に関する設定メニューキー３７ｂの押下げ（入力指示、変更指示、設定内容の確認指示等）があった場合には、従来は設定値が主画面１５の映像表示上に重ねて表示されていたために、主画面１５の映像表示を楽しんでいるユーザーの視聴を邪魔する結果となっていたが、本実施の形態では設定値の表示を副画面３５に表示し、調整可能としたことで、主画面１５の映像表示を楽しんでいるユーザーの視聴を邪魔することなく設定値の変更等が可能となった。
【００４１】
尚、録画機能などの新規に設定する場合には、テレビＡ側のメモリ２３から設定値を読み出すステップＳ３は必要がなくなり、リモコンＢ１側にて設定値を決定し、テレビＡ側のメモリ２３に書き込むこととなる。
【００４２】
尚、上記説明では、副画面３５への表示情報として設置項目と設定値のみを表示する場合を示したがそれに限定するものではなく、例えば、副画面３５へ変更の指標とするサンプル画面を表示し、設定値の変更に伴いサンプル画面の表示を変更することもできる。図４は、メモリ４１に予め格納してあったサンプル画像を表示した副画面３５を示している。すなわち、設定メニューキー３７ｂの選択により自動的に設定値に対応するサンプル画像を副画面３５に表示し、設定値の変更に合わせてサンプル画像を変更するものである。係る構成により、設定値の変更の様子をサンプル画像に反映することで、主画面１５に表示する設定変更前の映像と、副画面３５に表示する設定変更後のサンプル画像とを同時に比較検討できるので、変更レベルを容易に把握でき、決定時間の短縮に寄与する。また、特定のサンプル画像を用いることで、設定変更の基準が統一化され、常に同一レベルで変更判断ができる。
【００４３】
また、設定変更時の副画面３５の表示は上記に限定するものではなく、主画面と同一表示としてもよい。係る構成を第２の実施の形態として以下に説明する。
【００４４】
［第２の実施の形態］
本発明の第２の実施の形態に係るテレビは第１の実施の形態で説明したテレビＡと同一構成であるので、説明を省略し、リモコンＢ２の構成を図５を参照しつつ説明する。尚、上記した構成と同一構成には同一符号を付し、説明を省略する。
【００４５】
本第２の実施の形態に係るリモコンＢ２は、第１の実施の形態のリモコンＢ１の構成に対して映像処理部３４を加えた構成である。映像処理部３４は、テレビＡ側の映像処理部１３と同様に復号された映像信号やＥＰＧ信号を副画面３５に表示するための所定の処理を行う処理部である。副画面３５は主画面１５に比べて小さいので映像処理部３４は映像処理部１３の処理に加えてデータの間引き処理を行っている。
【００４６】
制御部３３は、設定メニューキー３７ｂの押下に基づき、テレビＡのメモリ２３に格納されている設定値に加えて映像信号やＥＰＧ信号を受信し、副画面３５に主画面１５と同一の表示としつつ、設定値を表示し、その設定入力、変更等を可能とする。図６は、タイマー録画機能の設定項目として録画チャネル、録画時間を設定する場合の副画面３５を示しており、その設定値としてチャンネル名（名称、記号、番号を含む）と時間（数値）を表示している。
【００４７】
上記構成とすることで、設定値の変更を行う場合でも受信チャネルを楽しむことができる。
【００４８】
尚、設定値の入力、変更等を行う副画面３５の背景として、背景なし、サンプル画像、受信チャネル映像を選択可能としてもよい。係る構成により、よりユーザフレンドリーな装置とできる。
【００４９】
上記実施の形態では、設定変更を表示する副画面３５はリモコンＢ１，Ｂ２上に設けたがそれに限定するものではなく、リモコン上に設けなくてもよい。係る実施の形態を第３の実施の形態として以下に説明する。
【００５０】
［第３の実施の形態］
本発明の第３の実施の形態に係るテレビは第１の実施の形態で説明したテレビＡと同一構成であるので説明を省略し、リモコンＢ３の構成を図７を参照しつつ説明する。尚、上記した構成と同一構成には同一符号を付し、説明を省略する。
【００５１】
第３の実施の形態に係るリモコンＢ３は、第２の実施の形態のリモコンＢ２の構成において副画面３５に代えて小型のプロジェクタ装置（投影光学装置）４５を設けた構成である。プロジェクタ装置４５は、公知のものを用いることができ、例えば、液晶プロジェクタを用いることができる。
【００５２】
係る構成により、設定値の調整画面をプロジェクタ装置４５を介して設定値を壁などに副画面３５よりも大きく映すことができ、従来同様の調整ができる。
【００５３】
尚、プロジェクタ装置４５と副画面３５の両方をリモコンに設け、何れの表示形態とするか選択できる構成であれば、よりユーザフレンドリーな構成となる。
【図面の簡単な説明】
【００５４】
【図１】本発明の第１の実施の形態に係るテレビＡとリモコンＢ１の概略ブロック図である。
【図２】本発明の第１の実施の形態に係るテレビＡの設定値変更のフローチャートである。
【図３】本発明の第１の実施の形態に係る副画面３５の調整画面の概略正面図である。
【図４】本発明の第１の実施の形態の副画面３５の調整画面の他の実施例の概略正面図である。
【図５】本発明の第２の実施の形態に係るリモコンＢ１の概略ブロック図である。
【図６】本発明の第２の実施の形態に係る副画面３５の調整画面の概略正面図である。
【図７】本発明の第３の実施の形態に係るリモコンＢ１の作用を説明する概略ブロック図である。
【符号の説明】
【００５５】
Ａ  テレビ
１５  表示部（主画面）
２３  メモリ
２５  送信部
２７  受信部
Ｂ１、Ｂ２，Ｂ３  リモコン
３１  受信部
３３  制御部
３５  表示部（副画面）
３７  入力部
３７ａ  テンキー
３７ｂ  設定メニューキー
３７ｃ  決定キー
３７ｄ  カーソルキー
４１  メモリ
４５  プロジェクタ装置
【図１】
2006186868.tif 000003
【図２】
2006186868.tif 000004
【図３】
2006186868.tif 000005
【図４】
2006186868.tif 000006
【図５】
2006186868.tif 000007
【図６】
2006186868.tif 000008
【図７】
2006186868.tif 000009